(57)【要約】【課題】本発明は、簡易且つ大量生産に適した米粒人形を提供することを目的としている。【解決手段】米粒人形１は、凹部４２ａを有した透明な樹脂で形成された第１の樹脂体４２と、凹部４２ａに文字、絵の内、少なくともいずれか一つが印刷で付されている透明なシ−ト３を介して置かれた米粒２と、凹部４２ａ上の透明なシ−ト３及び米粒２を覆うように設けられた透明な樹脂で形成された第２の樹脂体４３とを備えているものである。【選択図】図５
2005066833.tif 000002
【特許請求の範囲】
【請求項１】
凹部を有した透明な樹脂で形成された第１の樹脂体と、
前記凹部に文字、絵の内、少なくともいずれか一つが印刷で付されている透明なシ−トを介して置かれた米粒と、
前記凹部上の前記透明なシ−ト及び前記米粒を覆うように設けられた透明な樹脂で形成された第２の樹脂体と、を備えていることを特徴とする米粒人形。
【請求項２】
凹部を有した透明な樹脂で形成された第１の樹脂体と、
前記凹部に文字、絵の内、少なくともいずれか一つが印刷で付されている透明なシ−トを介して置かれた米粒とを備え、
前記凹部上の前記透明なシ−ト及び前記米粒に、溶液状態の第２の樹脂体を流し込み、前記第２の樹脂体が硬化して前記凹部内の前記米粒を一体化するものであり、前記第２の樹脂体は、硬化後において、少なくとも、透明であることを特徴とする米粒人形の製造方法。
【請求項３】
透明なシ−トに米粒が載置され、前記透明なシ−トは、平面的に見て前記米粒より大きいものであり、
前記米粒と前記透明なシ−トとは透明な樹脂を介して付着され、
前記透明な樹脂を介して付着した前記米粒と前記透明なシ−トを凹部に載置するものであることを特徴とする請求項２記載の米粒人形の製造方法。
【請求項４】
凹部を有した透明な樹脂で形成された第１の樹脂体と、
前記凹部に置かれた被装飾体と、
前記凹部上の前記被装飾体を覆うように設けられた透明な樹脂で形成された第２の樹脂体と、を備えていることを特徴とするアクセサリ−。
【請求項５】
被装飾体の表面を全体に亙って覆う透明な樹脂で形成された樹脂層と、    第２の樹脂体は前記凹部上の前記被装飾体の一部を覆い、前記樹脂層を介して前記被装飾体の一部が露出していることを特徴とする請求項４記載のアクセサリ−。
【請求項６】
凹部を有した透明な樹脂で形成された第１の樹脂体と、
前記凹部に置かれた被装飾体と、
前記凹部上の前記被装飾体に、溶液状態の第２の樹脂体を流し込み、前記第２の樹脂体が硬化して前記凹部内の前記被装飾体を一体化するものであり、前記第２の樹脂体は、硬化後において、少なくとも、透明であることを特徴とするアクセサリ−の製造方法。
【請求項７】
被装飾体と、
この被装飾体の表面を全体に亙って覆う透明な樹脂で形成された樹脂層と、
凹部を有した透明な樹脂で形成された第１の樹脂体とを備え、
前記凹部に置かれた前記樹脂層を有した被装飾体に、前記被装飾体の一部を前記樹脂層を介して覆うと共に、前記被装飾体の一部が前記樹脂層を介して露出するように、溶液状態の第２の樹脂体を流し込み、前記第２の樹脂体が硬化して前記凹部内の前記被装飾体を一体化するものであり、前記第２の樹脂体は、硬化後において、少なくとも、透明であることを特徴とするアクセサリ−の製造方法。
【発明の詳細な説明】
【０００１】
本発明は、米粒人形、米粒人形の製造方法、アクセサリ−及びアクセサリ−の製造方法に係り、特に、簡易且つ大量生産に適した米粒人形、米粒人形の製造方法、アクセサリ−及びアクセサリ−の製造方法に関する。
【０００２】
【従来の技術と発明が解決しようとする課題】
従来、米粒人形と称されるものは、熟練工が米１粒１粒に絵、文字を入念に描いたものである。
剥き出しのままでは米粒人形が損傷するため、長期の使用には堪えられないと共に、長期の使用に耐えれるように、透明体で被覆する必要がある。        かかる場合、大量生産に適するように、簡易に製造することができる米粒人形及び米粒人形の製造方法が望まれている。
また、一方、被装飾体を携帯電話等に付設して使用するアクセサリ−にあっては、剥き出しのままでは被装飾体が損傷するため、長期の使用には堪えられないと共に、長期の使用に耐えれるように、透明体で被覆する必要がある。
かかる場合、大量生産に適するように、簡易に製造することができるアクセサリ−及びアクセサリ−の製造方法が望まれている。
本発明は、大量生産に適するように、簡易に製造することができる米粒人形、米粒人形の製造方法、アクセサリ−及びアクセサリ−の製造方法を提供するものである。
【０００３】
【課題を解決するための手段】
上記目的を達成するために、請求項１記載の米粒人形は、凹部を有した透明な樹脂で形成された第１の樹脂体と、前記凹部に文字、絵の内、少なくともいずれか一つが印刷で付されている透明なシ−トを介して置かれた米粒と、前記凹部上の前記透明なシ−ト及び前記米粒を覆うように設けられた透明な樹脂で形成された第２の樹脂体とを備えているものである。
【０００４】
また、請求項２記載の米粒人形の製造方法は、凹部を有した透明な樹脂で形成された第１の樹脂体と、前記凹部に文字、絵の内、少なくともいずれか一つが印刷で付されている透明なシ−トを介して置かれた米粒とを備え、前記凹部上の前記透明なシ−ト及び前記米粒に、溶液状態の第２の樹脂体を流し込み、前記第２の樹脂体が硬化して前記凹部内の前記米粒を一体化するものであり、前記第２の樹脂体は、硬化後において、少なくとも、透明である。
【０００５】
また、請求項３記載の米粒人形の製造方法は、請求項２記載の米粒人形の製造方法において、透明なシ−トに米粒が載置され、前記透明なシ−トは、平面的に見て前記米粒より大きいものであり、前記米粒と前記透明なシ−トとは透明な樹脂を介して付着され、前記透明な樹脂を介して付着した前記米粒と前記透明なシ−トを凹部に載置するものである。
【０００６】
また、請求項４記載のアクセサリ−は、凹部を有した透明な樹脂で形成された第１の樹脂体と、前記凹部に置かれた被装飾体と、前記凹部上の前記被装飾体を覆うように設けられた透明な樹脂で形成された第２の樹脂体とを備えているものである。
【０００７】
また、請求項５記載のアクセサリ−は、請求項４記載のアクセサリ−において、被装飾体の表面を全体に亙って覆う透明な樹脂で形成された樹脂層と、第２の樹脂体は前記凹部上の前記被装飾体の一部を覆い、前記樹脂層を介して前記被装飾体の一部が露出しているものである。
【０００８】
また、請求項６記載のアクセサリ−の製造方法は、凹部を有した透明な樹脂で形成された第１の樹脂体と、前記凹部に置かれた被装飾体と、前記凹部上の前記被装飾体に、溶液状態の第２の樹脂体を流し込み、前記第２の樹脂体が硬化して前記凹部内の前記被装飾体を一体化するものであり、前記第２の樹脂体は、硬化後において、少なくとも、透明である。
【０００９】
また、請求項７記載のアクセサリ−の製造方法は、被装飾体と、この被装飾体の表面を全体に亙って覆う透明な樹脂で形成された樹脂層と、凹部を有した透明な樹脂で形成された第１の樹脂体とを備え、前記凹部に置かれた前記樹脂層を有した被装飾体に、前記被装飾体の一部を前記樹脂層を介して覆うと共に、前記被装飾体の一部が前記樹脂層を介して露出するように、溶液状態の第２の樹脂体を流し込み、前記第２の樹脂体が硬化して前記凹部内の前記被装飾体を一体化するものであり、前記第２の樹脂体は、硬化後において、少なくとも、透明である。
【００１０】
【実施例】
本発明の一実施例の米粒人形及び米粒人形の製造方法を図面を参照して説明する。
図１乃至図６において、１は米粒人形で、米粒人形１は、米粒２と、この米粒２の表面上に設けられた透明なシ−ト３と、この透明シ−ト３と米粒を覆うように設けられた透明な樹脂４とを備えている。
透明な樹脂４は、例えば、透明なアクリル樹脂で、後述する樹脂体４１、凹部４２ａを有した透明な樹脂で形成された第１の樹脂体４２、凹部４２ａ上の透明なシ−ト３及び米粒２を覆うように設けられた透明な樹脂で形成された第２の樹脂体４３とを有している。
【００１１】
また、透明なシ−ト３には、文字と絵を併用して印刷されても良いが、文字、絵の内、少なくともいずれか一つが透明なシ−ト３に印刷されて付されていれば良い。例えば、本実施例では、文字の一態様として「家内安全」が印刷で付されている。透明なシ−ト３は、取扱の容易性を考慮し、図４（ａ）（ｂ）に示すように、平面的に見て米粒２より大きいものとなっている。透明なシ−ト３に施された印刷部分に米粒２が対向するように位置している。
【００１２】
また、５は樹脂４に設けられた接続孔で、接続孔５は樹脂４の側方に張り出した張り出し部４０を貫通するように設けられている。
接続孔５には、図３に示すように、リング６、７、紐８、９を介して、小物袋１０に接続されるようになっている。
【００１３】
従って、本実施例の米粒人形１によれば、米粒２に一々、文字、絵等を描かなくても、米粒２の表面上に文字又は絵が印刷された透明なシ−ト３を設けることにより、米粒人形１を簡易且つ大量に生産することができる。
【００１４】
次に、上述した米粒人形１の製造方法について、図４（ａ）（ｂ）、図５（ａ）（ｂ）（ｃ）（ｄ）、図６（ｅ）（ｆ）（ｇ）を参照して説明する。
図４（ａ）（ｂ）及び図５（ａ）（ｂ）に示すように、文字（又は絵）が印刷された透明なシ−ト３を米粒２の表面上に設けている。
なお、３ａは、文字（又は絵）が印刷された印刷部を示し、印刷部３ａに米粒２が当接するように置く、また、米粒２と透明なシ−ト３との間に接着剤を設ける。
接着剤は、透明な樹脂、例えば、透明なアクリル樹脂を図５（ｃ）に示すように、シ−ト３の上に流し、樹脂を硬化させた樹脂体４１により米粒２と透明なシ−ト３との接着を行う。このようにして、米粒２と透明なシ−ト３とは透明な樹脂を介して付着される。
【００１５】
次に、樹脂の硬化後［図５（ｃ）参照］、透明な樹脂４１を介して付着した米粒２と透明なシ−ト３を凹部４２ａに載置する。つまり、米粒２が凹部４２ａに面するようにシ−ト３を反転させて凹部４２ａに置き（載置）、米粒２を一体化したシ−ト３と凹部４２ａとの隙間に透明な樹脂、例えば、透明なアクリル樹脂を流し込んでいく。
なお、上述においては、米粒２が凹部４２ａに面するようにシ−ト３を反転させて凹部４２ａに置いた（載置）が、場合により反転せず、シ−ト３が凹部４２ａに面するようにシ−ト３を凹部４２ａに置い（載置）ても良い。
また、図５（ｄ）に示す４２は、透明な樹脂で形成された第１の樹脂体で、第１の樹脂体４２は、例えば、透明なアクリル樹脂で形成され、凹部４２ａを有している。
【００１６】
即ち、米粒２の表面上に文字（又は絵）が印刷された透明なシ−ト３を設けたものを、凹部４２ａに置き（載置）、溶液状態の第２の樹脂体４３を凹部４２ａに流し込み、第２の樹脂体４３が硬化して凹部４２ａと米粒２とを一体化する［図６（ｄ）（ｅ）（ｆ）（ｇ）参照］。
なお、樹脂体４１、第１の樹脂体４２、第２の樹脂体４３は、溶液状態においては、透明となっていなくても良いが、硬化後において、少なくとも、透明となる材料を選定する。樹脂体４１、第１の樹脂体４２、第２の樹脂体４３は、例えば、透明なアクリル樹脂である。
【００１７】
従って、本実施例の米粒人形の製造方法によれば、凹部４２ａを有した透明な樹脂で形成された第１の樹脂体４２と、凹部４２ａに文字、絵の内、少なくともいずれか一つが印刷で付されている透明なシ−ト３を介して置かれた米粒２とを備え、凹部４２ａ上の透明なシ−ト３及び米粒２に、溶液状態の第２の樹脂体４３を流し込み、第２の樹脂体４３が硬化して凹部４２ａ内の米粒２を一体化するものであり、第２の樹脂体４３は、硬化後において、少なくとも、透明であるため、米粒２に一々、文字、絵等を描かなくても、米粒人形１を簡易且つ大量に生産することができる。
【００１８】
なお、図５（ｃ）に示すように、米粒２とシ−ト３を一体化する際、シ−ト３が水平状態を保持すると共に、保持シ−ト３の全体に亙って樹脂体４１を設けることにより、第２の樹脂体４３を凹部４２ａに流し込んでも、第２の樹脂体４３による透明なシ−ト３の浮き上がりを防止でき、見映えの良好な米粒人形１を製造することができる。
【００１９】
上述した実施例においては、透明な樹脂４で覆う対象を米粒２としたが、本願発明にあっては、これに限らず、米粒２以外の被装飾体２’、例えば、海老を乾燥させたもの、ドライフラワ−、ビスケット、スナック菓子、わさびに似せた擬似わさび、キャベツに似せた擬似キャベツ、レタスに似せた擬似レタス等でも良く、かかる場合、文字（又は絵）が印刷された透明なシ−ト３は必ずしも必要でない。
【００２０】
即ち、図７（ａ）（ｂ）（ｃ）に示すように、凹部４２ａを有した透明な樹脂で形成された第１の樹脂体４２と、凹部４２ａに置かれた被装飾体２’と、凹部４２ａ上の被装飾体２’に、溶液状態の第２の樹脂体４３を流し込み、第２の樹脂体４３が硬化して凹部４２ａ内の被装飾体２’を一体化するものであり、第２の樹脂体４３は、硬化後において、少なくとも、透明である。第１の樹脂体４２、第２の樹脂体４３は、例えば、透明なアクリル樹脂である。
【００２１】
また、上述の実施例においては、被装飾体２’の表面を全体に亙って透明な樹脂４で覆ったが、図８に示すように、被装飾体２’の表面を全体に亙って透明な樹脂で形成した樹脂層４’で覆うと共に、第２の樹脂体４３は凹部４２ａ上の被装飾体２’の一部を覆い、樹脂層４’を介して被装飾体２’の一部が露出するようにしても良い。
【００２２】
即ち、被装飾体２’と、この被装飾体２’の表面を全体に亙って覆う透明な樹脂、例えば、透明なアクリル樹脂で形成された樹脂層４’と、凹部４２ａを有した透明な樹脂で形成された第１の樹脂体４２とを備え［図８（ａ）（ｂ）参照］、図８（ｃ）に示すように、樹脂層４’を有した被装飾体２’を凹部４２ａに置き、次に、凹部４２ａに置かれた樹脂層４’を有した被装飾体２’に、被装飾体２’の一部を樹脂層４’を介して覆うと共に、被装飾体２’の一部が樹脂層４’を介して露出するように、溶液状態の第２の樹脂体４３を流し込み、第２の樹脂体４３が硬化して凹部４２ａ内の被装飾体２’を一体化するものであり［図８（ｄ）参照］、第２の樹脂体４３は、硬化後において、少なくとも、透明である。
【００２３】
【発明の効果】
請求項１記載の米粒人形によれば、凹部を有した透明な樹脂で形成された第１の樹脂体と、前記凹部に文字、絵の内、少なくともいずれか一つが印刷で付されている透明なシ−トを介して置かれた米粒と、前記凹部上の前記透明なシ−ト及び前記米粒を覆うように設けられた透明な樹脂で形成された第２の樹脂体とを備えているため、米粒人形を簡易且つ大量に生産することができる。
特に、米粒に一々、文字、絵等を描かなくても、米粒の表面上に文字又は絵が印刷された透明なシ−トを設けることにより、米粒人形をより簡易且つ大量に生産することができる。
【００２４】
また、請求項２記載の米粒人形の製造方法によれば、凹部を有した透明な樹脂で形成された第１の樹脂体と、前記凹部に文字、絵の内、少なくともいずれか一つが印刷で付されている透明なシ−トを介して置かれた米粒とを備え、前記凹部上の前記透明なシ−ト及び前記米粒に、溶液状態の第２の樹脂体を流し込み、前記第２の樹脂体が硬化して前記凹部内の前記米粒を一体化するものであり、前記第２の樹脂体は、硬化後において、少なくとも、透明であるため、米粒人形を簡易且つ大量に生産することができる。
特に、米粒に一々、文字、絵等を描かなくても、米粒の表面上に文字又は絵が印刷された透明なシ−トを設けることにより、米粒人形をより簡易且つ大量に生産することができる。
【００２５】
また、請求項３記載の米粒人形の製造方法によれば、前述した請求項２記載の発明の効果に加え、透明なシ−トに米粒が載置され、前記透明なシ−トは、平面的に見て前記米粒より大きいため、透明なシ−トの取扱が容易である。
【００２６】
また、請求項４記載のアクセサリ−によれば、凹部を有した透明な樹脂で形成された第１の樹脂体と、前記凹部に置かれた被装飾体と、前記凹部上の前記被装飾体を覆うように設けられた透明な樹脂で形成された第２の樹脂体とを備えているため、アクセサリ−を簡易且つ大量に生産することができる。
【００２７】
また、請求項５記載のアクセサリ−によれば、前述した請求項４記載の発明の効果に加え、被装飾体の表面を全体に亙って覆う透明な樹脂で形成された樹脂層と、第２の樹脂体は前記凹部上の前記被装飾体の一部を覆い、前記樹脂層を介して前記被装飾体の一部が露出しているため、アクセサリ−が嵩張らないと共に、被装飾体の一部が露出している分、注意を喚起し面白みを増大させるアクセサリ−を得ることができる。
【００２８】
また、請求項６記載のアクセサリ−の製造方法によれば、凹部を有した透明な樹脂で形成された第１の樹脂体と、前記凹部に置かれた被装飾体と、前記凹部上の前記被装飾体に、溶液状態の第２の樹脂体を流し込み、前記第２の樹脂体が硬化して前記凹部内の前記被装飾体を一体化するものであり、前記第２の樹脂体は、硬化後において、少なくとも、透明であるため、アクセサリ−を簡易且つ大量に生産することができる。
【００２９】
また、請求項７記載のアクセサリ−の製造方法によれば、被装飾体と、この被装飾体の表面を全体に亙って覆う透明な樹脂で形成された樹脂層と、凹部を有した透明な樹脂で形成された第１の樹脂体とを備え、前記凹部に置かれた前記樹脂層を有した被装飾体に、前記被装飾体の一部を前記樹脂層を介して覆うと共に、前記被装飾体の一部が前記樹脂層を介して露出するように、溶液状態の第２の樹脂体を流し込み、前記第２の樹脂体が硬化して前記凹部内の前記被装飾体を一体化するものであり、前記第２の樹脂体は、硬化後において、少なくとも、透明であるため、アクセサリ−を簡易且つ大量に生産することができ、しかも、第２の樹脂体は樹脂層を介して被装飾体の一部を覆い、被装飾体の一部が樹脂層を介して露出しているため、アクセサリ−が嵩張らないと共に、被装飾体の一部が露出している分、注意を喚起し、面白みを増大させたアクセサリ−を得ることができる。
【図面の簡単な説明】
【図１】図１は、本発明の一実施例の米粒人形の概略的斜視図である。
【図２】図２は、図１の概略的断面図である。
【図３】図３は、図１の米粒人形の一利用形態の概略的斜視図である。
【図４】図４は、図１の米粒人形に内在される米粒と透明なシ−トとの関係を説明するために拡大して示すもので、（ａ）は透明なシ−トが米粒に接着される前の状態の概略的拡大斜視図を、（ｂ）は透明なシ−トが米粒に接着された状態の概略的拡大平面図をそれぞれ示している。
【図５】図５は、図１の米粒人形の製造工程を示すもので、（ａ）は米粒を透明なシ−トに置く前の状態の概略的断面図であり、（ｂ）は米粒を透明なシ−トに置いた状態の概略的断面図であり、（ｃ）は米粒と透明なシ−トとを樹脂体で一体化した状態の概略的断面図であり、（ｄ）は米粒と透明なシ−トとを樹脂体で一体化したものを反転して、凹部に米粒を載置する前の状態の概略的断面図である。
【図６】図６は、図５（ｄ）以後の米粒人形の製造工程を示すもので、（ｅ）は凹部に米粒を載置し、第２の樹脂体を流している状態の概略的断面図であり、（ｆ）は第２の樹脂体を注入した状態の概略的断面図であり、（ｇ）は凹部に第２の樹脂体を流し、米粒が樹脂と一体化した状態の概略的断面図である。
【図７】図７は、アクセサリ−の製造工程を示すもので、（ａ）は凹部に被装飾体を載置した状態の概略的断面図であり、（ｂ）は第２の樹脂体を流している状態の概略的断面図であり、（ｃ）は凹部に第２の樹脂体を流し、被装飾体が樹脂と一体化した状態の概略的断面図である。
【図８】図８は、図７の他の実施例のアクセサリ−の製造工程を示すもので、（ａ）は被装飾体の概略的断面図であり、（ｂ）は透明な樹脂で表面を全体に亙って覆われた被装飾体の概略的断面図であり、（ｃ）は第２の樹脂体を流している状態の概略的断面図であり、（ｄ）は凹部に第２の樹脂体を流し、被装飾体が樹脂と一体化した状態の概略的断面図である。
【符号の説明】
１  ・・・・・米粒人形
２  ・・・・・米粒
３  ・・・・・シ−ト
４２  ・・・・・第１の樹脂体
４２ａ・・・・・凹部
４３  ・・・・・第２の樹脂体
【図１】
2005066833.tif 000003
【図２】
2005066833.tif 000004
【図３】
2005066833.tif 000005
【図４】
2005066833.tif 000006
【図５】
2005066833.tif 000007
【図６】
2005066833.tif 000008
【図７】
2005066833.tif 000009
【図８】
2005066833.tif 000010